(57)【要約】【課題】防犯性の向上を図る。【解決手段】本発明のアンチパニック式電気錠は、室内側ハンドル１の回動軸に沿って室内側ハンドル１に対してスライド可能に設けられるシャフトと、該シャフトを室内側スライド方向に付勢する付勢部材と、前記シャフトの室内側端部に固定される操作部４と、前記シャフトの室外側端部に固定される係合部と、該係合部が係合可能なように設けられる被係合部と、前記シャフトの室外側端部側で該シャフトが室内側ハンドル１の回動軸に沿ってスライド可能なように連結される伝達部材７と、を備え、前記付勢部材の付勢力に抗して操作部４を操作すると、前記係合部と被係合部との係合状態が解除されて室内側ハンドル１の回動が許容されるように構成されていることを特徴とする。【選択図】図２
2013087437.tif 000002
【特許請求の範囲】
【請求項１】
室外側ハンドルとは独立して回動可能に設けられる室内側ハンドルと、扉から進退可能に設けられるラッチ部材と、前記室内側ハンドルの回動力を前記ラッチ部材の進退動に変換する錠前機構部と、を備えたアンチパニック式電気錠であって、
前記室内側ハンドルの回動軸に沿って該室内側ハンドルに対してスライド可能且つ前記室内側ハンドルと一体に回動可能に設けられるシャフトと、
該シャフトを室内側スライド方向に付勢する付勢部材と、
前記シャフトの室内側端部に固定される操作部と、
前記シャフトの室外側端部に固定される係合部と、
該係合部が係合可能なように前記シャフトの周囲に設けられる被係合部と、
前記シャフトの室外側端部側で該シャフトが前記室内側ハンドルの回動軸に沿ってスライド可能なように連結され、前記室内側シャフトの回動力を前記錠前機構部に伝達する伝達部材と、
を備え、前記操作部を操作しない時は、前記付勢部材の付勢力により前記係合部と前記被係合部との係合状態が保持されて前記室内側ハンドルの回動が規制され、前記付勢部材の付勢力に抗して前記操作部を操作すると、前記係合部と被係合部との係合状態が解除されて前記室内側ハンドルの回動が許容されるように構成されていることを特徴とするアンチパニック式電気錠。
【請求項２】
前記室内側ハンドルのシャフトは、前記扉を挟んで室外側ケースに対向配置される室内側ハンドル座を貫通し、前記被係合部は前記室内側ハンドル座の内面に固定されるスペーサであり、該スペーサの室外側には前記係合部及び前記被係合部を密閉するようにカラーが設けられていることを特徴とするアンチパニック式電気錠。
【請求項３】
前記操作部は押圧操作可能なように前記室内側ハンドルに設けられ、前記操作部を押圧操作すると、前記シャフトが室外側にスライドして前記係合部と前記被係合部との係合状態が解除されることを特徴とする請求項１又は２に記載のアンチパニック式電気錠。
【発明の詳細な説明】
【技術分野】
【０００１】
本発明は、電気錠に関し、特に、ホテルの客室等の扉に取り付けられるアンチパニック式電気錠に関する。
【背景技術】
【０００２】
一般に、ホテルの客室等の扉には、室外側からは施錠状態でも室内側からハンドルを回動させることによって自由に解錠状態にすることのできる、いわゆるアンチパニック式電気錠が取り付けられている。
【０００３】
従来のアンチパニック式電気錠は、室内側ハンドルと室外側ハンドルとにそれぞれ連結されて独立して回動可能な駆動カムと、該室外側ハンドルの駆動カムの回動のみを規制する施解錠手段と、制御装置と電気的に接続されて前記施解錠手段を駆動するソレノイドと、を備えており、扉を閉じると、制御装置からの施錠信号に基づき前記ソレノイドが作動し、前記室外側ハンドルの回動を規制すると共に前記室内側ハンドルの回動を許容するようになっている（例えば、特許文献１又は２参照）。
【先行技術文献】
【特許文献】
【０００４】
【特許文献１】特開平８−１２０９９０号公報
【特許文献２】特開平１０−４６８８４号公報
【発明の概要】
【発明が解決しようとする課題】
【０００５】
しかしながら、上記した従来のアンチパニック式電気錠は、室内側ハンドルを誰でも自由に回動させて解錠状態にすることができるようになっているため、子供等が勝手に室外に出てしまうことがあり、防犯上、好ましくないこともあった。
【０００６】
本発明は、上記した課題を解決すべくなされたものであり、操作部を操作しないと室内側ハンドルを回動させることができないようにすることにより、幼い子供等が勝手に室外に出てしまうのを防止し、防犯性の向上を図ることのできるアンチパニック式電気錠を提供することを目的とする。
【課題を解決するための手段】
【０００７】
本発明は、室外側ハンドルとは独立して回動可能に設けられる室内側ハンドルと、扉から進退可能に設けられるラッチ部材と、前記室内側ハンドルの回動力を前記ラッチ部材の進退動に変換する錠前機構部と、を備えたアンチパニック式電気錠であって、前記室内側ハンドルの回動軸に沿って該室内側ハンドルに対してスライド可能且つ前記室内側ハンドルと一体に回動可能に設けられるシャフトと、該シャフトを室内側スライド方向に付勢する付勢部材と、前記シャフトの室内側端部に固定される操作部と、前記シャフトの室外側端部に固定される係合部と、該係合部が係合可能なように前記シャフトの周囲に設けられる被係合部と、前記シャフトの室外側端部側で該シャフトが前記室内側ハンドルの回動軸に沿ってスライド可能なように連結され、前記室内側シャフトの回動力を前記錠前機構部に伝達する伝達部材と、を備え、前記操作部を操作しない時は、前記付勢部材の付勢力により前記係合部と前記被係合部との係合状態が保持されて前記室内側ハンドルの回動が規制され、前記付勢部材の付勢力に抗して前記操作部を操作すると、前記係合部と被係合部との係合状態が解除されて前記室内側ハンドルの回動が許容されるように構成されていることを特徴とする。
【０００８】
また、本発明に係るアンチパニック式電気錠において、前記室内側ハンドルのシャフトは、前記扉を挟んで室外側ケースに対向配置される室内側ハンドル座を貫通し、前記被係合部は前記室内側ハンドル座の内面に固定されるスペーサであり、該スペーサの室外側には前記係合部及び前記被係合部を密閉するようにカラーが設けられていることを特徴とする。
【０００９】
さらに、本発明に係るアンチパニック式電気錠において、前記操作部は押圧操作可能なように前記室内側ハンドルに設けられ、前記操作部を押圧操作すると、前記シャフトが室外側にスライドして前記係合部と前記被係合部との係合状態が解除されることを特徴とする。
【発明の効果】
【００１０】
本発明によれば、アンチパニック式電気錠の本来の機能を確保しつつ、幼い子供等が勝手に室外に出てしまうのを防止することができ、防犯性の向上を図ることができる等、種々の優れた効果を得ることができる。
【図面の簡単な説明】
【００１１】
【図１】本発明の実施の形態に係るアンチパニック式電気錠の室内側操作機構部を示す正面図である。
【図２】図１のＡ−Ａ断面図である。
【図３】本発明の実施の形態に係るアンチパニック式電気錠の室内側操作機構部の室内側ハンドルを示す平面図である。
【図４】本発明の実施の形態に係るアンチパニック式電気錠の室内側操作機構部のシャフトを示す平面図である。
【図５】本発明の実施の形態に係るアンチパニック式電気錠の室内側操作機構部の操作部を示す平面図である。
【図６】本発明の実施の形態に係るアンチパニック式電気錠の室内側操作機構部の係合部材を示す平面図である。
【図７】本発明の実施の形態に係るアンチパニック式電気錠の室内側操作機構部の第１スペーサを示す平面図である。
【図８】本発明の実施の形態に係るアンチパニック式電気錠の室内側操作機構部の第２スペーサを示す平面図である。
【図９】本発明の実施の形態に係るアンチパニック式電気錠の室内側操作機構部のカラーを示す平面図である。
【図１０】本発明の実施の形態に係るアンチパニック式電気錠の室内側操作機構部の座金部材を示す平面図である。
【図１１】本発明の実施の形態に係るアンチパニック式電気錠の室内側操作機構部の締結部材を示す平面図である。
【図１２】本発明の実施の形態に係るアンチパニック式電気錠の室内側操作機構部の伝達部材を示す平面図である。
【発明を実施するための形態】
【００１２】
次に、本発明の実施の形態に係るアンチパニック式電気錠について、図面を参照して説明する。
【００１３】
本実施の形態に係るアンチパニック式電気錠は、室外側ハンドル（図示省略）とは独立して回動可能に設けられる室内側ハンドル１と、室内側ハンドル１の回動軸に沿って室内側ハンドル１に対してスライド可能に設けられるシャフト２と、シャフト２を室内側スライド方向に付勢する付勢部材としての圧縮スプリング（図示省略）と、シャフト２の室内側端部に固定される操作部４と、シャフト２の室外側端部に固定される係合部材５と、係合部材５が係合可能なようにシャフト２の周囲に設けられる被係合部材６と、シャフト２の室外側端部側でシャフト２が室内側ハンドル１の回動軸に沿ってスライド可能なように連結される伝達部材７と、を有する室内側操作機構部１００を備えており、この室内側操作機構部１００は、扉を挟んで室外側ケース（図示省略）に対向配置される室内側ハンドル座１７に取り付けられる。
【００１４】
また、本実施の形態に係るアンチパニック式電気錠は、この室内側操作機構部１００の他に、扉の小口から進退可能に設けられるラッチ部材と、室内側ハンドル１の回動力を前記ラッチ部材の進退動に変換する錠前機構部と、前記室外側ケースに取り付けられる室外側操作機構部と、を備えているが、これらの構成は、従来の公知なアンチパニック式電気錠と同様の構成を有しているため、ここでは図示及び詳細な説明を省略する。
【００１５】
室内側ハンドル１は、図３に良く示されているように、室内側ハンドル座１７の表面に平行に設けられる細長形状の把持部９と、把持部９の一端側において把持部９と直角を成すように設けられて室内側ハンドル座１７を貫通する軸部１０と、を備えており、軸部１０を回動軸として回動可能に設けられている。軸部１０には、室内側から軸方向に、円柱形状の操作部収容凹部１１、操作部収容凹部１１より小径の円柱形状のシャフト挿入部６０、及び角柱形状の伝達部材挿入部１２が形成されており、操作部収容凹部１１とシャフト挿入部６０との間、及びシャフト挿入部６０と伝達部材挿入部１２との間には、それぞれ段差部６１，６２が形成されている。また、軸部１０の室外側外周部には、螺子部１３が形成されており、螺子部１３を軸方向に切り欠くように溝部１４が軸心を挟んで対向するように形成されている。そして、各溝部１４にはそれぞれ、室外側から丸孔１５及び矩形状の長孔１６が開口され、丸孔１５及び長孔１６は伝達部材挿入部１２に連通するように形成されている。
【００１６】
シャフト２は、図４に良く示されているように、丸棒状を成し、軸部１０の伝達部材挿入部１２側から軸部１０に挿入可能なように形成されており、室内側端部１８及び室外側端部１９はそれぞれ中間部分２０より小径に形成されている。また、シャフト２の室内側端部１８には、中央部に室内側端部１８の他の部分より小径の段差部２１が形成され、シャフト２の室外側端部１９には、先端側に室外側端部１９の他の部分より小径の段差部２２が形成されている。
【００１７】
操作部４は、図５に良く示されているように、略円柱形状を成し、軸部１０の操作部収容凹部１１に収納可能に形成されている。操作部４の室外側端部には軸方向に沿って室内側端部挿入凹部２３が形成され、操作部４の外周部には室内側端部挿入凹部２３に直交する方向から連通するように螺子孔２４が形成されている。また、操作部４の室外側端部には室内側端部挿入凹部２３の入口部分を囲うように円環状の隆起部５８が形成されており、この隆起部５８に前記圧縮スプリングの一端が嵌合可能となっている。
【００１８】
係合部材５は、図６に良く示されているように、ブロック状を成し、左右側方に突出する係合部２５を備えており、係合部２５は係合部材５がシャフト２の室外側端部１９に固定された状態で軸部１０から突出するように形成されている。また、係合部材５には、軸方向にシャフト挿入孔２６が形成され、係合部材５の外周部にはシャフト挿入孔２６に直交する方向から連通するように螺子孔２７が形成されている。
【００１９】
被係合部材６は、室内側ハンドル座１７の内面に取り付けられる第１スペーサ２８と、第１スペーサ２８の室外側に重合される第２スペーサ２９の２枚のプレート状のスペーサにより構成されている。
【００２０】
第１スペーサ２８は、図７に良く示されているように、環状の第１軸部挿通部３０と、第１軸部挿通部３０から左右外側に延出する第１取付腕部３１と、により構成され、第１軸部挿通部３０には室内側ハンドル１の軸部１０が挿通可能な第１挿通穴３２が形成されている。また、左右の第１取付腕部３１には、エンボス加工によってそれぞれ２箇所ずつ、室内側に凹む外側凹部３３と室外側に凹む内側凹部（図示省略）が並設されており、外側凹部３３の反対側の外側凸部（図示省略）が室内側ハンドル座１７の内面に形成される凹部（図示省略）に嵌合可能となっている。
【００２１】
第２スペーサ２９は、図８に良く示されているように、第１スペーサ２８と略等しい形状を成しており、環状の第２軸部挿通部３５と、第２軸部挿通部３５から左右外側に延出する第２取付腕部３６と、により構成され、第２軸部挿通部３５には室内側ハンドル１の軸部１０が挿通可能な第２挿通穴３７が形成されている。第２挿通穴３７の周囲には、互いに対向する位置に２個の被係合部３８が切り欠かれており、被係合部３８に係合部材５の係合部２５（図６参照）が係合可能となっている。また、第２取付腕部３６には、第２スペーサ２８の内側凹部３４に対応する位置に、それぞれ取付孔３９，４０が形成されており、取付孔３９，４０に第１スペーサ２８の内側凹部の反対側の内側凸部３４（図７参照）が嵌合可能となっている。さらに、一方の取付孔３９は円形を成し、他方の取付孔４０は横長の長円形を成しており、これにより、取付孔３９，４０と内側凹部３４の左右の寸法誤差を吸収することができる。
【００２２】
第２スペーサ２９の室外側にはカラー４１が重合するように設けられている。このカラー４１は、図９に良く示されているように、第２スペーサ２９の被係合部３８（図８参照）を覆うように偏平な円筒状に形成された外周部５９と、外周部５９の室外側端部に形成される円環状の軸部挿通部４２と、により構成され、軸部挿通部４２には室内側ハンドル１の軸部１０が挿通可能な円形の挿通穴４３が形成されている。
【００２３】
カラー４１の室外側には、円環状の樹脂製薄板４４を介在させて、座金部材４５が軸部挿通部４２に重合するように設けられている。座金部材４５は、図１０に良く示されているように、円環状の軸部挿通部４６を備え、軸部挿通部４６には室内側ハンドル１の軸部１０が挿通可能な円形の挿通穴４７が形成されている。また、軸部挿通部４６の内縁部には、軸部１０の溝部１４（図３参照）に係止可能なように係止片４８が室内側に向かって屈曲形成されており、この係止片４８が溝部１４に係止することにより座金部材４５が室内側ハンドル１と一緒に回動するようになっている。さらに、座金部材４５の軸部挿通部４６の外縁部には、放射状に多数の爪片４９が設けられている。
【００２４】
座金部材４５の室内側には略円環状の締付部材５０が座金部材４５の平坦面に重合するように設けられている。締付部材５０は、図１１に良く示されているように、内縁部に形成された雌螺子部５１を備え、雌螺子部５１は軸部１０の螺子部１３（図３参照）に螺合可能となっている。また、締付部材５０の外縁部５２は室外側に屈曲しており、外縁部５２には４個の切欠部５３が均等間隔で形成されており、切欠部５３の幅は座金部材４５の爪片４９の幅より大きく形成されている。
【００２５】
伝達部材７は、図１２に良く示されているように、角棒状を成し、室内側から室外側端部挿入凹部５４が形成され、外周部には室外側端部挿入凹部５４に直交する方向から連通するように軸方向に長い矩形孔５５が開口され、この矩形孔５５は室内側ハンドル１の長孔１６（図３参照）に対応する位置に設けられている。また、伝達部材７には、矩形孔５５より室外側に貫通小孔５６が形成され、貫通小孔５６は室内側ハンドル１の丸孔１５（図３参照）に対応する位置に設けられている。さらに、伝達部材７の貫通小孔５６より室外側には、角部を面取りして切欠凹部５７が形成されている。
【００２６】
上記した構成を備えた室内側操作機構部１００を室内側ハンドル座１７に取り付ける場合、先ず、室内側ハンドル１の軸部１０の伝達部材挿入部１２に伝達部材７を挿入し、軸部１０の丸孔１５及び伝達部材７の貫通小孔５６に締結具（図示省略）を挿入して伝達部材７を軸部１０に固定する。そして、このように伝達部材７を固定した軸部１０を室内側ハンドル座１７に貫設した上で、係合部材５を軸部１０の長孔１６を通して伝達部材７の矩形孔５５に挿入する。
【００２７】
次いで、シャフト２の室内側端部１８を操作部４の室内側端部挿入凹部２３に挿入し、螺子孔２４に螺子（図示省略）を螺入し、該螺子の先端をシャフト２の室内側端部１８の段差部２１に当接させ、シャフト２に操作部４を固定すると共に、隆起部５８に前記圧縮スプリングの一端を嵌合させたものを、室内側から室内側ハンドル１の操作部収容凹部１１に挿入する。そして、シャフト２をシャフト挿入部６０及び伝達部材７の室外側端部挿入凹部５４に挿入し、その室外側端部１９を係合部材５のシャフト挿入孔２６に挿入した上で、係合部材５の螺子孔２７に螺子（図示省略）を挿入し、該螺子の先端をシャフト２の室外側端部１９の段差部２２に当接させ、係合部材５をシャフト２に固定する。
【００２８】
これにより、シャフト２及び操作部４は、室内側ハンドル１の回動軸に沿って室内側ハンドル１及び伝達部材７に対してスライド可能且つ室内側ハンドル１及び伝達部材７と一体に回動可能に取り付けられ、前記圧縮スプリングが操作部４の室外側端部と段差部６１との間に介装されることにより、室内側スライド方向に付勢された状態となる。
【００２９】
次に、上記したように室内側ハンドル１の軸部１０に、シャフト２、圧縮スプリング３、操作部４、係合部材５、及び伝達部材７を取り付けたものを、室内側ハンドル座１７に貫設させた状態で、室内側から順に、第１スペーサ２８、第２スペーサ２９、カラー４１、樹脂製薄板４４、及び座金部材４５を軸部１０に挿通する。その後、締結部材５０の雌螺子部５１を軸部１０の螺子部１３に螺合させて締付け、座金部材４５の爪部４９を室外側に折り曲げて締付部材５０の切欠部５３に係止させて、前記各構成部品を組み付ける。
【００３０】
この時、第１スペーサ２８の外側凹部３３の反対側の外側凸部が室内側ハンドル座１７の凹部に嵌合可能に形成され、第２スペーサ２９の取付孔３９，４０に第１スペーサ２８の内側凹部の反対側の内側凸部３４が嵌合可能に形成されているため、第１スペーサ２８及び第２スペーサ２９の位置決め作業を円滑且つ簡単に行うことができる。
【００３１】
次に、室内側ハンドル１を操作した時の本実施の形態に係るアンチパニック式電気錠の作用について説明する。
【００３２】
先ず、操作部４を押圧操作しない場合には、前記圧縮スプリングの付勢力により、シャフト２及び操作部４が室内側にスライドした姿勢を保持することにより、係合部材５の係合部２５と第２スペーサ２９の被係合部３９との係合状態が保持され、室内側ハンドル１の回動が規制される。したがって、操作部４を押圧操作しない場合には室内側ハンドル１を回動させることができないため、幼い子供等が勝手に室外に出てしまうのを防止することができ、防犯性の向上を図ることができる。
【００３３】
これに対して、前記圧縮スプリングの付勢力に抗して操作部４を押圧操作すると、シャフト２及び操作部４が室外側にスライドすることにより、係合部材５の係合部２５と第２スペーサ２９の被係合部３９との係合状態が解除され、室内側ハンドル１の回動が許容される。したがって、操作部４を押圧操作しながら室内側ハンドル１を回動させると、前記錠前機構部により室内側ハンドル１の回動力が前記ラッチ部材の扉の小口からの後退動に変換され、扉を解錠することができる。
【００３４】
このように本発明の実施の形態に係るアンチパニック式電気錠によれば、室外側からは施錠状態でも操作部４を押圧しながら室内側からハンドルを回動させることによって自由に解錠状態にすることのできるアンチパニック式電気錠の本来の機能を確保しつつ、幼い子供等が勝手に室外に出てしまうのを防止することにより、防犯性の向上を図ることができるといった優れた効果を得ることができる。
【００３５】
また、上記した実施の形態に係るアンチパニック式電気錠では、室内側から扉を解錠させる場合、操作部４を押圧操作する必要があるが、押圧操作自体が簡単な操作であると共に、操作部４が室内側ハンドル１の回動軸上に配設されているため、通常の大人や小学生以上の子供であれば、把持部９を手で把持する際に親指で簡単に操作部４を押圧操作することができる。したがって、従来のアンチパニック式電気錠と比べて、室内側からの解錠操作が難しくなることもない。
【００３６】
さらに、カラー４１には室内側に第２スペーサ２９に重合すると共に室外側に座金部材４５及び締付部材５０が重合し、係合部材５の係合部２５と第２スペーサ２９の被係合部３９との係合箇所を密閉するようにカラー４１が取り付けられるため、針金等を室内側ハンドル座１７の内部に無理やり進入させて係合部２５と被係合部３９との係合状態を解除させようとする不正行為を防止することもできる。
【符号の説明】
【００３７】
１          室内側ハンドル
２          シャフト
４          操作部
１８        シャフトの室内側端部
１９        シャフトの室外側端部
２５        係合部
２９        第２スペーサ
３８        被係合部
４１        カラー
【図１】
2013087437.tif 000003
【図２】
2013087437.tif 000004
【図３】
2013087437.tif 000005
【図４】
2013087437.tif 000006
【図５】
2013087437.tif 000007
【図６】
2013087437.tif 000008
【図７】
2013087437.tif 000009
【図８】
2013087437.tif 000010
【図９】
2013087437.tif 000011
【図１０】
2013087437.tif 000012
【図１１】
2013087437.tif 000013
【図１２】
2013087437.tif 000014